(57)【特許請求の範囲】
【請求項１】
複数のペダルを備えた楽器のためのペダル操作表示装置において、
前記複数のペダルの操作に関する情報を２次元表示するための表示器と、
前記複数のペダルにそれぞれ対応した横方向位置にて、前記複数のペダルの踏み込み量を同踏み込み量に対応した縦方向長さによって表示するように前記表示器を制御する表示制御手段とを備え、
前記表示器は、演奏者によって踏み込み操作されるべき踏み込み量を表示する第１表示部と、演奏者が実際に踏み込んでいるペダルの踏み込み量を表示する第２表示部とを、前記複数のペダル毎に横方向に並べて備え、
前記表示制御手段は、
お手本を表示する設定となっている場合には、前記第１表示部に演奏者によって踏み込み操作されるべき踏み込み量を表示するとともに、前記第２表示部に演奏者が実際に踏み込んでいるペダルの踏み込み量を表示するように前記表示器を制御し、
お手本を表示しない設定となっている場合には、前記第１表示部及び前記第２表示部に演奏者が実際に踏み込んでいるペダルの踏み込み量を表示するように前記表示器を制御するようにしたことを特徴とする楽器のペダル操作表示装置。
【請求項２】
前記表示制御手段は、
お手本を表示する設定となっている場合には、前記第１表示部に演奏者によって踏み込み操作されるべき踏み込み量を第１の色で表示するとともに、前記第２表示部に演奏者が実際に踏み込んでいるペダルの踏み込み量を前記第１の色とは異なる第２の色で表示するように前記表示器を制御し、
お手本を表示しない設定となっている場合には、前記第１表示部及び前記第２表示部に演奏者が実際に踏み込んでいるペダルの踏み込み量を前記第２の色で表示するように前記表示器を制御する請求項１に記載した楽器のペダル操作表示装置。
【発明の詳細な説明】
【技術分野】
【０００１】
本発明は、楽器のペダル操作を表示するための楽器のペダル操作表示装置に関する。
【背景技術】
【０００２】
従来から、ピアノの３本のペダルに対応した３個の発光素子を配置しておいて、ペダルの踏み込み操作に連動して発光素子を点灯させるようにしたピアノ演奏に関連した電飾装置は知られている（下記特許文献１参照）。
【特許文献１】実開平２−９５０９８号公報
【０００３】
しかし、上記従来技術においては、ペダルの位置と表示器の位置が特定されていないため、演奏者は、自身がどのペダルを踏んでいるかが分かり難いものであった。また、ペダルをどの程度踏んでいるか、あるいは踏むべきかも分かり難かった。
【発明の開示】
【０００４】
本発明は、上記問題に対処するためになされたもので、その目的は、楽器のペダルを操作する際、どのペダルをどの程度の踏込量で操作しているか、あるいは操作すべきかを、容易に目で確認できるようにした楽器のペダル操作表示装置を提供することにある。
【０００５】
上記目的を達成するために、本発明の特徴は、複数のペダルを備えた楽器のためのペダル操作表示装置において、複数のペダルの操作に関する情報を２次元表示するための表示器と、複数のペダルにそれぞれ対応した横方向位置にて、複数のペダルの踏込量を同踏み込み量に対応した縦方向長さによって表示するように表示器を制御する表示制御手段とを備え、表示器は、演奏者によって踏み込み操作されるべき踏み込み量を表示する第１表示部と、演奏者が実際に踏み込んでいるペダルの踏み込み量を表示する第２表示部とを、複数のペダル毎に横方向に並べて備え、表示制御手段は、お手本を表示する設定となっている場合には、第１表示部に演奏者によって踏み込み操作されるべき踏み込み量を表示するとともに、第２表示部に演奏者が実際に踏み込んでいるペダルの踏み込み量を表示するように表示器を制御し、お手本を表示しない設定となっている場合には、第１表示部及び第２表示部に演奏者が実際に踏み込んでいるペダルの踏み込み量を表示するように表示器を制御するようにしたことにある。
この場合、表示制御手段は、お手本を表示する設定となっている場合には、第１表示部に演奏者によって踏み込み操作されるべき踏み込み量を第１の色で表示するとともに、第２表示部に演奏者が実際に踏み込んでいるペダルの踏み込み量を第１の色とは異なる第２の色で表示するように表示器を制御し、お手本を表示しない設定となっている場合には、第１表示部及び第２表示部に演奏者が実際に踏み込んでいるペダルの踏み込み量を第２の色で表示するように表示器を制御するとよい。
【０００６】
上記のように構成した本発明によれば、演奏者は、自身がどのペダルを踏んでいるか、あるいはどのペダルを踏むべきかが直感的に分かる。また、縦方向長さが踏み込み量に相当するので、踏み込み量も直感的に分かり易くなる。また、模範となる踏み込み量と演奏者自信の踏み込み量とを見比べることができ、演奏者が踏み込むべき量が分かり易くなる。
【０００７】
さらに、本発明の実施にあたっては、楽器のペダル操作表示装置に限定されることなく、前記装置に適用されるコンピュータプログラムおよび方法の発明としても実施し得るものである。
【発明を実施するための最良の形態】
【０００８】
以下、本発明の一実施形態に係る電子楽器について図面を用いて説明すると、図１はこの電子楽器の全体ブロック図を概略的に示している。この電子楽器は、鍵盤１１、効果ペダル１２、設定操作子１３、ディスプレイ１４、多段ＬＥＤ表示器１５、音源回路１６および効果回路１７を備えている。
【０００９】
鍵盤１１は、図６および図７に示すように、楽器の前面に左右方向（すなわち横方向）に沿って配置されて、演奏者の左右両手の指によって打鍵操作される複数の白鍵および黒鍵からなる。効果ペダル１２は、楽器の前面下部に配置されて、演奏者の左右の足によって踏み込み操作される複数のペダルからなる。本実施形態においては、効果ペダル１２は、左ペダル１２１、中央ペダル１２２および右ペダル１２３の３本のペダルからなる。設定操作子１３は、鍵盤１１の上方の楽器の前面操作パネル上に設けられた複数のスイッチなどからなり、演奏者によって操作されて電子楽器の動作を設定する。これらの鍵盤１１、効果ペダル１２および設定操作子１３は、バス２０に接続された検出回路１１ａ，１２ａ，１３ａによってそれぞれ検出される。特に、検出回路１２ａは、左ペダル１２１、中央ペダル１２２および右ペダル１２３の踏み込み量を検出する。
【００１０】
これらの左ペダル１２１、中央ペダル１２２および右ペダル１２３は、各ペダルに割当てられた発生楽音の楽音要素を制御するためのものである。たとえば、左ペダル１２は、その踏み込み量に応じて音色（および／または音量）を変更制御する。中央ペダルは、その踏み込みにより発生中の和音（コード）をホールドする（コードホールド）。右ペダル１２３は、その踏み込みにより発生中の楽音信号のサステインレベルを維持する（ホールド１）。その他にも、各ペダル１２１〜１２３には、他の楽音要素の制御も割当て可能であり、例えば、ペダルの踏み込みにより発生中の楽音信号のエンベロープ変化を止めてしまるホールド２（フリーズ）、ポルタメント機能、レガート機能などを割当てることも可能である。
【００１１】
ディスプレイ１４は、前記操作パネル上に設けられた液晶ディスプレイ、ＣＲＴなどで方形状に構成され、文字、数字、図形などを表示する。多段ＬＥＤ表示器１５は、図６，７に示すように、前記操作パネル上に設けられた横方向および縦方向のマトリクス状に配置された複数のＬＥＤ（発光器）からなり、各ＬＥＤは複数の異なる色（例えば、赤、緑、黄など）で発光可能である。この多段ＬＥＤ表示器１５が、本発明の２次元表示器に対応する。ディスプレイ１４および多段ＬＥＤ表示器１５の表示は、バス２０に接続された表示回路１４ａによって制御される。
【００１２】
音源回路１６は、バス２０に接続されていて、後述するコンピュータ部３０の制御のもとに供給される演奏データおよび各種楽音制御パラメータに基づいてディジタル楽音信号を生成して、生成したディジタル楽音信号を効果回路１７に出力する。効果回路１７は、バス２０に接続されて、コンピュータ部３０の制御のもとに、ディジタル楽音信号にコーラス、リバーブなどの各種効果を付与してサウンドシステム１８に出力する。サウンドシステム１８は、Ｄ／Ａ変換器、アンプおよびスピーカなどからなり、供給されるディジタル楽音信号に対応した楽音を放音する。
【００１３】
また、この電子楽器は、バス２０にそれぞれ接続されていてコンピュータ部３０を構成するＣＰＵ３１、タイマ３２、ＲＯＭ３３およびＲＡＭ３４を備えているとともに、外部記憶装置４１、ＭＩＤＩインターフェース回路４２および通信インターフェース回路４３も備えている。外部記憶装置４１は、ＨＤＤ、ＦＤＤ、ＣＤ−ＲＯＭ、ＭＯ、ＤＶＤ、半導体メモリなどの不揮発性の記録媒体と、同各記録媒体に対するドライブユニットを含むものであり、後述するデータおよびプログラムの記憶及び読出しを可能にしている。これらのデータおよびプログラムは予め外部記憶装置４１に記憶されていてもよいし、ＭＩＤＩインターフェース回路４２および通信インターフェース回路４３を介して外部から取り込んでもよい。
【００１４】
この外部記憶装置４１には、図２のペダル操作検出プログラム、図３の自動演奏プログラムおよび図４のペダル操作量表示プログラムに加え、各種プログラムおよびデータを記憶している。特に、データに関しては、複数の演奏データ（すなわち曲データ）が記憶されている。各演奏データは、図５(Ａ)に示すように、1つのヘッダチャンクと、複数のトラックチャンクを含む。ヘッダチャンクには、曲名、作曲者などの情報が記憶されている。各トラックチャンクには複数のイベントデータが納められており、各イベントデータは、デルタタイムおよびＭＩＤＩメッセージからなる。デルタタイムは、１つ前のイベントからの経過時間を表す。ＭＩＤＩメッセージは、通常のノートオン、ノートオフに加えて、本発明に直接関係する効果ペダル１２の操作に関係した楽音要素制御データ（前述したホールド１、ホールド２、音色変化、コードホールドなど）を含む。そして、この効果ペダルの操作に関係したＭＩＤＩメッセージは、例えば、図５(Ｂ)に示すように、ステータスコード（例えば、コントロールチェンジ）、コントロール番号（例えば、ホールド１）および制御値からなる。なお、この制御値が、本発明に関するペダルの踏み込み量に対応した制御量である。
【００１５】
ＭＩＤＩインターフェース回路４２は、他の電子音楽装置、パーソナルコンピュータなどのＭＩＤＩ対応の外部機器５１に接続可能となっていて、この電子楽器が外部機器５１と各種プログラム及びデータを交信可能としている。通信インターフェース回路４３は、通信ネットワーク５２に接続可能となっていて、この電子楽器が各種プログラム及びデータをサーバコンピュータ５３から受信し、またはサーバコンピュータ５３に送信できるようになっている。
【００１６】
次に、上記のように構成した実施形態の動作について説明する。まず、鍵盤１１、効果ペダル１２および設定操作子１３を用いて、演奏者が電子楽器を演奏する場合について説明すると、鍵盤１１、効果ペダル１２および設定操作子１３の演奏操作は検出回路１１ａ，１２ａ，１３ａによってそれぞれ検出され、鍵盤１１および設定操作子１３の演奏操作に関するデータは、コンピュータ部３０による図示しないプログラムの実行により音源回路１６および効果回路１７に供給される。音源回路１６は、鍵盤１１の演奏操作を表す鍵演奏データに基づいて打鍵された鍵に対応した音高を有するディジタル楽音信号であって、設定操作子１３の操作によって設定される音色、音量などを有するディジタル楽音信号を生成して、効果回路１７に出力する。また、効果回路１７は、設定操作子１３の操作によって設定される効果を前記音源回路１６から供給されるディジタル楽音信号に付与して、サウンドシステム１８に供給する。したがって、サウンドシステム１８は、音源回路１６にて生成され、かつ効果回路１７にて効果の付与された前記ディジタル楽音信号に対応した楽音を放音する。
【００１７】
一方、効果ペダル１２すなわち左、中央および右ペダル１２１，１２２，１２３のうちのいずれかのペダルが演奏操作された場合には、コンピュータ部３０は、図２のペダル操作検出プログラムの実行により、ペダル１２１，１２２，１２３の操作に応じた処理を実行する。すなわち、コンピュータ部３０は、図２のペダル操作検出プログラムを所定の短時間ごとに繰り返し実行している。このペダル操作検出プログラムにおいては、コンピュータ部３０は、ステップＳ１１にて左ペダル１２１の踏み込み量を検出回路１２ａから入力する。そして、ステップＳ１２にて、前記入力した踏み込み量と、ＲＡＭ３４内に設けられている状態バッファメモリに記憶されている以前の左ペダル１２１の踏み込み量とを比較して、左ペダル１２１の踏み込み量が変化したか否かを判定する。変化していなければ、プログラムをステップＳ１５に進める。
【００１８】
左ペダル１２１の踏み込み量が変化していれば、ステップＳ１３にて左ペダル１２１に割当てられている楽音要素に関するイベントデータを作成して、同イベントデータに前記踏み込み量に対応した制御量を含ませて音源回路１６に出力する。音源回路１６は、発生中の楽音信号の楽音要素であって、前記イベントデータによって指定される楽音要素を前記制御量すなわち左ペダル１２１の踏み込み量に応じて制御する。前記ステップＳ１３の処理後、コンピュータ部３０は、ステップＳ１４にて、前記状態バッファメモリに記憶されている以前の左ペダル１２１の踏み込み量を、前記ステップＳ１１の処理によって入力した踏み込み量に更新する。
【００１９】
これらの処理後、コンピュータ部３０は、ステップＳ１５〜Ｓ１８およびステップＳ１９〜Ｓ２２にて、中央ペダル１２２および右ペダル１２３に対してそれぞれ前記ステップＳ１１〜Ｓ１４と同様な処理を実行する。これにより、中央ペダル１２２および右ペダル１２３の踏み込み量が変更されると、発生中の楽音信号の楽音要素であって、中央ペダル１２２および右ペダル１２３に割当てられている楽音要素が、中央ペダル１２２および右ペダル１２３の踏み込み量に応じて変更制御される。また、ＲＡＭ３４内に設けられた状態バッファメモリ内の中央ペダル１２２および右ペダル１２３の踏み込み量も、変更される。
【００２０】
このような鍵盤１１、効果ペダル１２および設定操作子１３を用いた演奏中、コンピュータ部３０は、図４のペダル操作量表示プログラムを所定の短時間ごとに繰り返し実行している。このペダル操作量表示プログラムにおいては、コンピュータ部３０は、ステップＳ４１にて、効果ペダル１２の踏み込み量を表示する設定になっているかを判定する。なお、この効果ペダル１２の踏み込み量を表示する設定が、設定操作子１３の操作に基づく。効果ペダル１２の踏み込み量を表示する設定になっていなければ、ステップＳ４６に進む。効果ペダル１２の踏み込み量を表示する設定になっていれば、ステップＳ４２にて、前記状態バッファメモリから左ペダル１２１、中央ペダル１２２および右ペダル１２３の踏み込み量をそれぞれ取得する。そして、ステップＳ４３にてお手本を表示する設定になっているかを判定する。このお手本の表示とは、自動演奏に連動して、楽曲の進行に従って読み出される演奏データに基づいて、左ペダル１２１、中央ペダル１２２および右ペダル１２３の踏み込み量を表示することであり、この設定も設定操作子１３の操作に基づく。
【００２１】
まず、お手本を表示する設定になっていない場合について説明すると、コンピュータ部３０は、ステップＳ４３にて「Ｎｏ」と判定して、ステップＳ４４にて前記取得した左ペダル１２１、中央ペダル１２２および右ペダル１２３の踏み込み量を多段ＬＥＤ表示器１５を用いて表示する。この表示例は図６に示されており、左ペダル１２１、中央ペダル１２２および右ペダル１２３にそれぞれ対応した横方向位置にて、各ペダルの踏込量をＬＥＤの縦方向の点灯数すなわち縦方向の長さによって表示する。
【００２２】
より具体的には、左ペダル１２１、中央ペダル１２２および右ペダル１２３にそれぞれ対応した横方向位置にて、各ペダルの踏み込み量とは無関係に横方向に４個および縦方向に３個配列した合計１２個のＬＥＤを点灯する。最下段の中央の２個のＬＥＤの点灯色（本実施形態では黄色）を他の点灯色（本実施形態では緑）と異ならせる。そして、前記２個のＬＥＤから下方に向かって、各ペダルの踏み込み量に比例した個数のＬＥＤを、前記２個のＬＥＤと同一色（本実施形態では黄色）で点灯させる。この場合、各ペダルの最大踏み込み量をＤmaxとするとともに、各ペダルの実際の踏み込み量をＤとすれば、前記２個のＬＥＤの下方向に７・Ｄ／Ｄmaxを切り上げた値（整数）に等しい個数のＬＥＤが点灯する。そして、最大踏み込み量Ｄmaxまで踏み込まれているペダルに関しては、その最下段の２個のＬＥＤは前記とは更に異なる色（本実施形態では赤）で点灯する。図６の表示例では、左ペダル１２１が途中まで踏み込まれ、中央ペダル１２２がなにも踏み込まれず、右ペダル１２３が最大に踏み込まれた状態を示している。
【００２３】
このような多段ＬＥＤ表示器１５による左ペダル１２１、中央ペダル１２２および右ペダル１２３の踏み込み量の表示により、演奏者は、自身がどのペダルを踏んでいるか、またペダルをどの程度踏み込んでいるかを直感的に把握できる。また、その踏み込み量も直感的に把握できる。
【００２４】
次に、外部記憶装置４１に記憶されている曲データ（演奏データ）を再生しながら、演奏者が鍵盤１１、効果ペダル１２および設定操作子１３を用いて楽器を演奏する場合について説明する。この場合、コンピュータ部３０は、前記図２のペダル操作検出プログラムおよび図４のペダル操作量表示プログラムに加えて、図３の自動演奏プログラムを実行する。この自動演奏プログラムの実行開始前には、演奏者は、設定操作子１３を操作することにより、外部記憶装置４１に記憶さている複数の曲データの中から所望の曲を選択する（図５参照）。なお、外部記憶装置４１内に所望の曲が保存されていない場合には、外部機器５１またはサーバコンピュータ５３から所望の曲を外部記憶装置４１内に取り込むようにするとよい。
【００２５】
自動演奏プログラムの実行開始後、コンピュータ部３０は、図３のステップＳ３１にて、演奏データの読み出し位置を先頭にするなどの初期設定処理を実行後、ステップＳ３２〜Ｓ３６からなる循環処理を繰り返し実行する。ステップＳ３２においては、コンピュータ部３０は、タイマ３２を用いて、楽曲の進行に応じて演奏データ中から楽曲の進行に一致したイベントデータを読み出す。ステップＳ３３においては、前記読み出したイベントデータが、左ペダル１２１、中央ペダル１２２および右ペダル１２３のうちのいずれかのペダルに割り当てられた楽音要素に関するものであるかを判定する。そして、前記読み出したイベントデータが前記いずれかのペダルに割り当てられた楽音要素に関するものであれば、ステップＳ３４にて、イベントデータ中の制御値（ペダルの踏み込み量）を得て、ＲＡＭ３４内に設けたお手本バッファエリア内に左ペダル１２１、中央ペダル１２２および右ペダル１２３を表す情報と共に記憶する。
【００２６】
そして、ステップＳ３５にて、前記ペダルに関するイベントデータも含めて、キーオン、キーオフなどのイベントデータを音源回路１６および効果回路１７に出力する。音源回路１６は、前記演奏者による演奏の場合と同様に、前記出力されたイベントデータに応じてディジタル楽音信号を生成し、効果回路１７は前記生成されたディジタル楽音信号に効果を付加して、サウンドシステム１８に供給する。したがって、サウンドシステム１８は、音源回路１６にて生成され、かつ効果回路１７にて効果の付与された前記ディジタル楽音信号に対応した楽音を放音する。
【００２７】
前記ステップＳ３５の処理後、コンピュータ部３０は、ステップＳ３６にて演奏データの読み出しが終了したかを判定し、終了していなければ、ステップＳ３２〜Ｓ３６からなる循環処理を繰り返し実行する。したがって、サウンドシステム１８からは演奏データに基づく楽音が楽曲の進行に従って自動的に発生される。
【００２８】
前述のように、コンピュータ部３０は、前記自動演奏プログラムの実行に並行して、演奏者の演奏に基づく楽音信号を発生させるための図示しないプログラムおよび図２のペダル操作検出プログラムを実行している。したがって、この場合も、演奏者が鍵盤１１、効果ペダル１２および設定操作子１３を用いて楽器演奏を行えば、前述のように、サウンドシステム１８からは、演奏者の演奏に従った楽音が発生される。また、左ペダル１２１、中央ペダル１２２および右ペダル１２３の踏み込み量も、ＲＡＭ３４内の状態バッファエリアに各ペダルの踏み込み操作に対応して記憶される。
【００２９】
一方、コンピュータ部３０は、図４のペダル操作量表示プログラムも所定の短時間ごとに実行している。そして、この場合も、ペダルの踏み込み量を表示する設定が選択されており、かつお手本を表示する設定になっていなければ、コンピュータ部３０は、前述したステップＳ４１〜Ｓ４４の処理により、左ペダル１２１、中央ペダル１２２および右ペダル１２３の踏み込み量を図６に示すように表示する。しかし、この場合には、一般的に、演奏者は設定操作子１３の操作により、お手本を表示する設定を選択している。したがって、この場合には、ステップＳ４３にて「Ｙｅｓ」と判定して、ステップＳ４５の表示処理を実行する。
【００３０】
このステップＳ４５の表示処理においては、図７に示すように、左ペダル１２１、中央ペダル１２２および右ペダル１２３にそれぞれ対応して点灯される横方向に４個および縦方向に３個の合計１２個のＬＥＤのうちで、最下段の中央の２個のＬＥＤのうちの左側および右側のＬＥＤは異なる色で点灯される。例えば、左側のＬＥＤは緑色に点灯され、右側のＬＥＤは黄色に点灯される。前記１２個のＬＥＤのうちの残りのＬＥＤは、前記左側および右側とは異なる色（本実施形態では赤色）で点灯する。そして、左ペダル１２１、中央ペダル１２２および右ペダル１２３の踏み込み量は、前記と同様に下方に向かって踏み込み量に比例した個数のＬＥＤの点灯により表示されるが、この場合には、前記右側の点灯ＬＥＤ（黄色点灯のＬＥＤ）から下方に右列のＬＥＤのみが前記右側のＬＥＤと同一色で点灯する。各ペダルの最大踏み込みの際に最下段のＬＥＤが異なる色（赤色）で点灯するのは前記場合と同じである。
【００３１】
また、前記ステップＳ４１，Ｓ４４，Ｓ４５の処理後、コンピュータ部３０は、前記ステップＳ４３と同様に、お手本を表示する設定が選択されているかを判定する。そして、お手本を表示する設定が選択されていなければ、ステップＳ４６にて「Ｎｏ」と判定して、このペダル操作量表示プログラムの実行を終了する。しかし、お手本を表示する設定が選択されていれば、ステップＳ４７，Ｓ４８の処理を実行する。ステップＳ４７においては、演奏データに基づく左ペダル１２１、中央ペダル１２２および右ペダル１２３に関する踏み込み量を、前記ＲＡＭ３４内のお手本バッファメモリからそれぞれ取得する。ステップＳ４８においては、前記１２個のＬＥＤのうちで、最下段の中央の２個のＬＥＤのうちの左側のＬＥＤ（緑色に点灯のＬＥＤ）から下方に向かって、各ペダルに関する制御量（踏み込み量）に比例した個数の左側の１列のＬＥＤが同一色（本実施形態では緑色）で点灯される。この場合も、各ペダルの最大踏み込みの際に最下段のＬＥＤが異なる色（赤色）で点灯するのは前記場合と同じである。
【００３２】
このように、左ペダル１２１、中央ペダル１２２および右ペダル１２３の横方向位置と一致させて、多段ＬＥＤ表示器１５が各ペダルに関する模範となる踏み込み量を表示するようにしたので、演奏者は、自身がどのペダルを踏むべきか、またペダルをどの程度踏み込むべきかを直感的に分かるようになる。また、模範となる踏み込み量と演奏者自信の踏み込み量とが左右に並べて表示されるので、演奏者は、左ペダル１２１、中央ペダル１２２および右ペダル１２３を踏み込むべき量を簡単に把握できる。
【００３３】
さらに、本発明の実施にあたっては、上記実施形態に限定されるものではなく、本発明の目的を逸脱しない限りにおいて種々の変更が可能である。
【００３４】
例えば、上記実施形態では、演奏データをＳＭＦ形式で構成するようにしたが、演奏データを他の形式で構成してもよい。特に、効果ペダル１２の踏み込み量の表示に利用するイベントデータは、音源回路１６を制御するイベントデータと同じトラックチャンクに収められていてもよいし、表示用の別チャンクに収められていてもよい。表示用の別チャンクに収められている場合、そのイベントは音源回路１６に供給されないために、他のイベントの形式（例えば、ノートオンイベントの形式）を採用してもよい。
【００３５】
上記実施形態においては、左ペダル１２１、中央ペダル１２２および右ペダル１２３に割り当てられる楽音要素を固定したが、各ペダルに割り当てられる楽音要素を可変としてもよい。また、効果ペダル１２を前記３つのペダル１２１，１２２，１２３で構成するようにしたが、効果ペダル１２の数は複数であれば他の数であってもよい。
【００３６】
また、上記実施形態では、お手本となる演奏データを外部記憶装置４１に記憶しておいて、自動演奏プログラムの実行により楽曲の進行に従って順次読み出すようにした。しかし、この演奏データが、サーバコンピュータ５３からストリーム配信されたり、ＭＩＤＩ機器５１からＭＩＤＩインターフェース回路４２経由で送り込まれたりするようにしてもよい。
【００３７】
また、上記実施形態においては、縦方向に１２段のＬＥＤを配置した多段ＬＥＤ表示器１５を用いるとともに、効果ペダル１２の踏み込み量の表示のために５段目から１２段目までのＬＥＤを用いた。しかし、これらの数に関してはこれに限られないし、点灯色も他の色でも構わない。また、ＬＥＤなくても、液晶表示器（ＬＣＤ）でも構わない。さらに、多段ＬＥＤ表示器１５の多数のＬＥＤのうちで、鍵盤１１の各鍵に近接したＬＥＤを用いて運指ガイドを行うようにしてもよい。この場合、自動演奏プログラムによる演奏データの読み出しに応じてＬＥＤを点灯制御するようにすればよい。
【００３８】
さらに、上記実施形態においては、自動演奏プログラムの実行によって楽曲の進行に従って読み出される全ての演奏データを再生して、演奏者に模範演奏を提供するようにした。しかし、この演奏データを前記運指ガイドに用いたり、一部のパートの演奏データに基づく楽音信号（伴奏音信号）のみを再生して、演奏者は他のパートの演奏練習を行うようにしたりしてもよい。
【図面の簡単な説明】
【００３９】
【図１】本発明の一実施形態に係る電子楽器の全体ブロック図である。
【図２】前記電子楽器で実行されるペダル操作検出プログラムを示すフローチャートである。
【図３】前記電子楽器で実行される自動演奏プログラムを示すフローチャートである。
【図４】前記電子楽器で実行されるペダル操作量表示プログラムを示すフローチャートである。
【図５】(Ａ)(Ｂ)は、演奏データの一例を示すフォーマット図である。
【図６】図１の多段ＬＥＤ表示器による表示の一例を示す図である。
【図７】同多段ＬＥＤ表示器による表示の他の例を示す図である。
【符号の説明】
【００４０】
１１…鍵盤、１２…効果ペダル、１３…設定操作子、１４…ディスプレイ、１５…多段ＬＥＤ表示器、１６…音源回路、３０…コンピュータ部、４１…外部記憶装置
【図１】
0004626551.tif 000002
【図２】
0004626551.tif 000003
【図３】
0004626551.tif 000004
【図４】
0004626551.tif 000005
【図５】
0004626551.tif 000006
【図６】
0004626551.tif 000007
【図７】
0004626551.tif 000008